(57)【要約】【課題】  保温などのためのコートやガウンなどとして着用できることは勿論、肌掛け布団や毛布などのように人の前面から着用できる衣類に転用することができ、しかも、簡単な構造で低コストで製造できる転用可能なコート状外衣を得ること。【解決手段】  適宜幅と長さを有する左右の前身頃部１１，２１と後身頃部１２，２２および袖１５，２５を備えて前記左右の前身頃部１１，２１が着用のために開放されており、人の背面からの着用と前面からの着用を選択できると共に、着用するとき前記袖１５，２５に腕を通せるように形成したこと。【選択図】    図１
0003109532.tif 000002
【実用新案登録請求の範囲】
【請求項１】
適宜幅と長さを有する左右の前身頃部と後身頃部および袖を備え、かつ、前記左右の前身頃部が着用のために開放されており、人の背面からの着用と前面からの着用を選択できると共に、着用するとき前記袖に腕を通せるように形成したことを特徴とする転用できるコート状外衣。
【請求項２】
前，後身頃の総幅が着用者の平均胴周長の少なくとも2倍に形成されている請求項１のコート状外衣。
【請求項３】
左右の前身頃と後身頃とを、それぞれ別の一枚生地で形成し、左右の後身頃の突合せ部を縫着等によって接続した請求項１又は２のコート状外衣。
【請求項４】
生地に防炎性乃至難燃性繊維を用いた１〜３のいずれかのコート状外衣。
【考案の詳細な説明】
【技術分野】
【０００１】
本考案は、着用者の前面側からも着用して利用できるコート状の外衣に係わり、詳しくは、普通のコートのように着用できる一方、屋内などで保温などのために人の前面側からも羽織って着用できるようにした転用できるコート状外衣に関する。
【背景技術】
【０００２】
例えば、航空機、鉄道車両、船舶、バスなどのように多数の人が搭乗し、一定温度に室温調整がなされている環境下では、個々人の体感温度の違いから、保温のために何か羽織りたいときがある。また、機内などで就寝する場合には体温の低下を防ぐなどのために衣類などを身体に掛けたいときもある。このような目的のために、航空機などでは毛布やブランケットなどの提供サービスがなされている。
【０００３】
一方、複数の機能をもつ被服として、いわゆるポンチョ形態の被服であって保護カバーやテントなどに転用可能なものが提案されている（例えば特許文献１を参照）が、提案されているものは主としてアウトドアーユースであるため屋内や車内で着用するには不向きの形態である。
【特許文献１】特開２００２ー３０９４１０号公報
【考案の開示】
【考案が解決しようとする課題】
【０００４】
上記のような点に鑑み、本考案は、通常のコートとして着用することができると共に、肌掛け布団や毛布などのように人の前面からも羽織ったり掛けたりすることができ、また、至って簡潔な構造にすることにより低コストで製造することが可能な転用できるコート状の外衣（以下、「コート状外衣」という）を提供することを、課題とする。
【課題を解決するための手段】
【０００５】
上記課題を解決することを目的としてなされた本考案コート状外衣の構成は、適宜幅と長さを有する左右の前身頃部と後身頃部および袖を備え、かつ、前記左右の前身頃部が着用のために開放されており、人の背面からの着用と前面からの着用を選択できると共に、着用するとき前記袖に腕を通せるように形成したことを特徴とするものである。
【考案の効果】
【０００６】
本考案コート状外衣は、適宜幅と長さを有する左右の前身頃部と後身頃部および袖を備え、かつ、前記左右の前身頃部が着用のために開放されており、人の背面からの着用と前面からの着用を選択できると共に、着用するとき前記袖に腕を通せるように形成したから、保温のための通常のコートとしても、及び、肌掛け布団や毛布などのように、人の前面から羽織った形でも使用することができる。また、構造が至って簡単ゆえに低コストで製造することができる。
【０００７】
すなわち、椅子に掛けた人が、本考案コート状外衣の後身頃部を体の前面を覆うようにし、両腕を袖に通して羽織ることにより、体感室内温度が低すぎると感じるときなどに、容易かつ手軽に保温用衣料として使用することが出来る。また、就寝するとき、後身頃部を体の上面に配置し、両袖に腕を通して体を覆うように羽織ることで、保温のための肌掛け布団や毛布などの代わりとしても使用することもできる。
【０００８】
一方、本考案コート状外衣は、左前身頃部と左後身頃部とを一枚の生地で裁断形成すると共に、右前身頃部と右後身頃部とを一枚の生地から裁断形成し、左右の後身頃部の突合せ部分同士を縫着や溶着などにより接続し、左，右の袖をそれぞれの側の前身頃部と後身頃部の境界近傍に形成した袖ぐり部に縫着や溶着などによって接合することにより仕立てることができる。必要に応じ、左右の前身頃と左右の後身頃の全てを一枚の生地から裁断形成し、袖を前，後身頃の境界部に縫着あるいは接着などすることによっても形成でき、いずれの仕立てによっても本考案コート状外衣は製造が極めて簡単である。また、本考案コート状外衣の素材は、織物地のほか編物地、不織布地、シート地などの中から任意のものを選択して採用することができ、仕立てが簡単なことと相俟って、本考案コート状外衣は低コストで製造し提供することが可能である。
【考案を実施するための最良の形態】
【０００９】
次に、図面を参照して本考案コート状外衣の実施の形態の一例を説明する。図において、図１は本考案コート状外衣の背面図、図２は縫製前の裁断生地の状態を示す平面図、図３はコートやガウン等として着用した使用状態の一例を示す前面からの斜視図、図４は図３の背面からの斜視図、図５は椅子に掛けた人が前側から羽織った使用状態を示す前面側からの斜視図である。
【００１０】
図示した実施例の本考案コート状外衣は、一例として、航空機などにおいて、体感温度が低いと感じる乗客に提供されるものとして形成したものである。
【００１１】
このコート状外衣は、図１および図２に示すように、左側の前身頃部１１、左側の後身頃部１２および左襟部１３からなる左半側の身頃部１４と、右側の前身頃部２１、右側の後身頃部２２および右襟部２３からなる右半側の身頃部２４と、左袖１５と、右袖２５とからなる。これらの構成部材のうち、左半側の身頃部１４，右半側の身頃部２４は、それぞれ一枚の生地から、袖１５，２５はそれぞれ一枚の生地にから裁断形成されている。そして、左半側の身頃部１４における左後身頃部１２と、右半側の身頃部２４における右後身頃部２２との突合せ部位を縫製等により合着し、一着のコート状本体を形成する。図１の１８は縫合線である。コート状本体の全幅ｗは、このコート状外衣の着用者、この場合、平均的な大人の胴周囲の長さよりも大きく、少なくとも２倍程度に形成されている。
【００１２】
図２に示す袖１５，２５の生地は、鎖線１６，２６に沿って折られ、折目の鎖線１６，２６に対向する側縁を縫製等により合着することによって筒状の袖に形成される。これらの筒状の袖１５，２５は、左前身頃部１１と左後身頃部１２との境界付近に形成した袖ぐりの開口１７と、右前身頃部２１と右後見頃部２２との境界付近に形成した袖ぐりの開口２７に縫製等により合着される。袖ぐりの開口１７，２７は、前身頃部１１，２１を体の前部に配置して羽織ったとき、両腕を袖１５，２５に通すことができると共に、前身頃部１１，２１を体の背部に配置して羽織ったときにも、両腕を袖１５，２５に通すことができるように配置される。
【００１３】
本考案コート状外衣の素材としては、好ましくは難燃性繊維、例えば帝人（株）のコーネックス（商品名）を使用する。コーネックスはメタ型タイプの全芳香族ポリアミド系樹脂の耐熱性繊維で、主原料はメタフェニレンジアミンとイソフタル酸クロライドで、ポリメタフェニレンイソフタルアミドを成分とする有機合成樹脂の繊維である。ポリエステル樹脂繊維並みの繊維性能、すなわち、強伸度、弾性率、比重、風合い、色などをもつだけではなく、空気中で溶融することなく、温度４００℃ではじめて分解、炭化を開始する耐熱性と限界酸素指数(ＬＯＩ値)とが２９以上という防炎性・難燃性をもつ白色の高機能繊維である。この繊維は、高温での繊維性能保持、並びに、寸法安定性がすぐれ、高温でも長期にわたり繊維性能を保持することができる。実施例の本考案コート状外衣では、前身頃部１１，２１、後身頃部１２，２２、襟部１３，２３および袖１５，２５の全体にこのコーデックス（商品名）が使用されているが、本考案では同等性能を持つ他の繊維を用いることができることは勿論、他の一般繊維を使用することもできる。
【００１４】
本考案コート状外衣は、図３および図４に示すように、着用者１０は、自身の体の前部に前身頃部１１，２１が、背部に後身頃部１２，２２が配置されるように羽織って両腕を袖１５，２５に通し、すでに着用している被服の上にオーバーコートのように羽織って着用することができる。この着用時、本考案コート状外衣は、その幅が身体の胴周長よりも十分に広いため、身体全体をこのコート状外衣で巻くように包むことができる。また立姿勢においては、前身頃全体の幅が十分に広く、左右の前身頃を合わせた状態で開放されているため、裾付近が襞状になって優美な着装外観を呈する。また、襟部１３，１４は首周りでフラップ状に倒しても、スタンドカラー状に立ち上げても優雅なスタイルを得られる。
【００１５】
一方、就寝するときや椅子に掛けたときなどには、図５に示すように、着用者１０は前部に後身頃部１２，２２を位置付けると共に、背部に前身頃部１１，２１を配置して両腕を袖１５，２５に通し、着用している衣服などの上に着用者の前面側から羽織ることによって、肌掛け布団や毛布などの代わりとして容易に体全体を覆うことができるので、簡単に体の保温等を行うことができる。このとき、着用者の両腕は袖１５，２５に通されているため、コート状外衣が身体から脱落せず、従って、体を動かしても着用状態が維持されるので、例えば、暖かい状態を保つことができ、しかも襟部１３，１４を立てることによって首周りを包むことができるので、内部に冷風等が吹き込みにくく、暖かい状態を維持した睡眠をすることなどができる。
【００１６】
なお、本考案コート状外衣は、腕を袖１５，２５に通さずに、体の前面から羽織れば、肌掛け布団や毛布などと同様にとしても使用することができ、適宜の大きさに折りたたむことによって膝掛けなどとして利用することもできる。
【００１７】
本考案コート状外衣は、生地が防炎性乃至難燃性のものを用いたものであると、タバコの火や暖房機器の熱などによって発火したり燃え出したりするおそれも殆んどないから、安全性も高い。
【００１８】
本考案コート状外衣は、上記のような態様での使用ができるので、例えば新幹線のような長距離鉄道、観光バス、長距離バスなどにおける乗客サービス品としても用いることもできる。また、使用する生地素材も、難燃性繊維に限らず、使用目的などに応じて任意選択することができる。例えば、車いす用として使うときには、表地に耐水性を持つ素材、裏地に保温性もつ素材を採用するとよい。その他、編物、不織布、合成樹脂シート材などによる生地を本考案コート状外衣の使用目的に応じて採用することは任意である。
【００１９】
図示した本考案コート状外衣では、左前身頃部１１と左後身頃部１２および左襟部１３を一枚の生地から裁断形成すると共に、左前身頃部２１と右後身頃部２２および右襟部２３を一枚の生地から裁断し、両生地をそれらの後身頃の突合せ部において縫合しているが、袖１５，２５を除くすべての部位（パーツ）を一枚の生地から裁断形成し、後身頃（背中側）での縫着を省略したり、使用する生地の素材に応じて縫着でなく、接着，絡着などの手段を採用することができる。また、図示した例のコート状外衣の着丈は、人体１０のくるぶし付近までとしているが、より短い着丈とすることは任意である。
【図面の簡単な説明】
【００２０】
【図１】本考案コート状外衣の背面図。
【図２】縫製前の裁断生地の状態を示す平面図。
【図３】コートやガウン等として着用した使用状態の一例を示す前面からの斜視図。
【図４】図３の背面からの斜視図。
【図５】椅子に掛けた人が前側から羽織った使用状態を示す前面側からの斜視図。
【符号の説明】
【００２１】
１０            着用者
１１，２１      左，右の前身頃部
１２，２２      左，右の後身頃部
１３，２３      左，右の襟部
１４，２４      左半側と右半側の身頃部
１５，２５      袖
【図１】
0003109532.tif 000003
【図２】
0003109532.tif 000004
【図３】
0003109532.tif 000005
【図４】
0003109532.tif 000006
【図５】
0003109532.tif 000007